(57)【特許請求の範囲】
【請求項１】
第１の回路パターンを備えた剛性基板と、
固体撮像素子を備え、前記剛性基板からはみ出す突出部を有する可撓性基板と、
前記固体撮像素子の検査用端子として前記突出部に設けられた検査用パッドと、
前記可撓性基板に設けられ、前記検査用パッドに接続された第２の回路パターンと、
導電性を備え、前記第２の回路パターンに接続されたスルーホールと、
前記固体撮像素子に設けた端子と、
前記第１の回路パターンと前記スルーホールを導通させるバンプ接合部、および前記端子と前記スルーホールを導通させるボンディングワイヤからなる接続手段と、
を具備したことを特徴とする固体撮像装置。
【発明の詳細な説明】
【０００１】
【発明の属する技術分野】
本発明は固体撮像装置、更に詳しくは内視鏡先端に内蔵される固体撮像素子の基板部分に特徴のある固体撮像装置に関する。
【０００２】
【従来の技術】
従来、被写体を撮像する固体撮像素子は、セラミック等の基板に搭載され、基板上の配線パターンにワイヤボンディングされ接続されている。実装された後に固体撮像素子の動作を確認するために検査部を設けようとすると、基板が大型化してしまう。そこで検査終了後、余分な検査部を切断することが考えられるが、固い基板上に設けられているため、切断できないことから大型化してしまい、装置自体も大型化する。
【０００３】
そのため、検査部を切断できるように、特開昭６３−１６７３２２号公報では、基板を可撓性基板としており、固体撮像素子搭載後の形状が小型化された固体撮像素子が開示されている。
【０００４】
また、この特開昭６３−１６７３２２号公報には、固体撮像素子搭載部、信号線接続用導体ランド、検査部が同一基板上に配線された固体撮像素子が開示されている。
【０００５】
【発明が解決しようとする課題】
しかしながら、上記特開昭６３−１６７３２２号公報では、固体撮像素子搭載部から配線を延設し信号線接続用導体ランドを経て、検査用ランドが設けられている。
【０００６】
すなわち、従来の固体撮像装置においては、図２３（ａ）に示すように、固体撮像素子３０１を実装した基板３０２上には、信号線接続用導体ランド３０３が設けられており、この信号線接続用導体ランド３０３に信号線（図示せず）を接続させることで、図示していない外部のビデオプロセッサと接続させる構造となっている。なお、図２３（ｂ）は、図２３（ａ）の固体撮像装置の側面を示している。
【０００７】
上記基板３０２はセラミック等の剛性基板であり、電子部品３０５及び上記信号線接続用導体ランド３０３が設けられており、基板３０２上においてボンディングワイヤ３０６を介して、電子部品３０５と固体撮像素子３０１とが、また電子部品３０５と基板３０２のパターンとが、さらには固体撮像素子３０１と信号線接続用導体ランド３０３とが接続されている。なお、絶縁のために、ボンディングワイヤ３０６には配線部封止樹脂３０８が施されている。
【０００８】
そして、上記信号線接続用導体ランド３０３は、配線パターン３０９により検査用ランド３１０へ接続されており、図示しない検査用機器の端子と接続できるようになっており、これらの部分を含めた基板３０２の長さは、Ｌとなっている。
【０００９】
このように従来の固体撮像装置の場合、検査用ランド３１０は信号線接続用導体ランド３０３を経ているために、信号線接続用導体ランド３０３の設定位置で検査用ランド３１０の位置が限定され、複雑で大型化する可能性があり、また、この形状の状態で検査を行うため、検査時の取り回しが面倒となるといった問題がある。
【００１０】
本発明は、上記事情に鑑みてなされたものであり、実装後の検査が簡略化でき、小型化をはかることのできる固体撮像装置を提供することを目的としている。
【００１１】
【課題を解決するための手段】
本発明による固体撮像装置は、第１の回路パターンを備えた剛性基板と、固体撮像素子を備え、前記剛性基板からはみ出す突出部を有する可撓性基板と、前記固体撮像素子の検査用端子として前記突出部に設けられた検査用パッドと、前記可撓性基板に設けられ、前記検査用パッドに接続された第２の回路パターンと、導電性を備え、前記第２の回路パターンに接続されたスルーホールと、前記固体撮像素子に設けた端子と、前記第１の回路パターンと前記スルーホールを導通させるバンプ接合部、および前記端子と前記スルーホールを導通させるボンディングワイヤからなる接続手段とを具備したことを特徴とする。
【００１２】
本発明の固体撮像装置では、前記固体撮像素子と前記可撓性基板、及び前記可撓性基板と前記剛性基板とを各々電気的に接続することで、実装後の検査を簡略化し、小型化をはかることを可能とする。
【００１３】
【発明の実施の形態】
以下、図面を参照しながら本発明の実施の形態について述べる。
【００１４】
図１ないし図６は本発明の一実施の形態に係わり、図１は内視鏡先端部の構成を示す構成図、図２は図１の撮像部に装着する前の固体撮像素子を実装した可撓性基板の構成を示す構成図、図３は図２の可撓性基板を搭載する前の剛性基板の構成を示す構成図、図４は図２の可撓性基板を搭載した後の剛性基板の構成を示す構成図、図５は図２の可撓性基板の第１の変形例の形状を示す図、図６は図２の可撓性基板の第２の変形例の形状を示す図である。
【００１５】
図１に示すように、内視鏡１の先端部の内部には、図示しない観察部位に照明光を照射するライトガイド２に併設された、観察部位からの光を入射する対物光学系３と、対物光学系３により観察部位の像を撮像する撮像部４とを組合せた本実施の形態の固体撮像装置５が設けられている。
【００１６】
上記対物光学系３は、複数のレンズから成るレンズ群６とこれらレンズ群６をを支持するためのレンズ枠７とから成り、内視鏡１の先端構成部材８に設けられた取り付け穴９に挿入され、固定ねじ１０により固定されている。
【００１７】
また、上記レンズ枠７の後端には、スペーサ１１を介してフィルタ１２が装着され、フィルタ１２にはプリズム１３が接合されている。
【００１８】
上記プリズム１３は、対物光学系３からの入射光を略直角に屈折させるようになっており、屈折された光軸方向には固体撮像素子１４が設けられ、内視鏡の先端部１の軸心と略平行に位置している。
【００１９】
固体撮像素子１４を実装した、後述する可撓性基板１５を搭載する剛性基板１６上には、信号線接続用導体ランド１７が設けられており、この信号線接続用導体ランド１７に信号線１８を接続させることで、図示していない外部のビデオプロセッサと接続させる構造となっている。
【００２０】
図２（ａ）は、撮像部３に装着する前の固体撮像素子１４を実装した可撓性基板１５を示しており、図２（ｂ）は、その側面を示している。
【００２１】
図２（ａ）に示すように、上記可撓性基板１５は、ポリイミド樹脂等の可撓性を有する材質であり、可撓性基板１５上の突出部２１には、動作検査用の検査用パッド２２と電気的に接続させる配線パターン２３と固体撮像素子１４と接続させる第１の導体パッド２４が配設され、また、固体撮像素子１４を搭載するベアチップ搭載部２５が設けられている。
【００２２】
さらに、可撓性基板１５には、図２（ｂ）に示すように、第１の導体パッド２４と同位置の可撓性基板１５の裏面に、スルーホール２６により導通させた第２の導体パッド２７が設けてある。
【００２３】
図３（ａ）は、上記可撓性基板１５を搭載する前の剛性基板１６を示しており、図３（ｂ）は、その側面を示している。
【００２４】
図３に示すように、剛性基板１６上には、電子部品搭載用ランド３１と、図示しないビデオプロセッサ等の周辺機器に接続のための前記信号線１８を接続させる信号線接続用導体ランド１７とが設けられ、さらに、可撓性基板１５と電気的に接続させるバンプランド３３が設けられている。
【００２５】
これら電子部品搭載用ランド３１、バンプランド３３、信号線接続用導体ランド１７は、剛性基板１６内部に設けた内部配線３４により接続されている。
【００２６】
図４（ａ）は、可撓性基板１５を搭載した後の剛性基板１６を示しており、図４（ｂ）は、その側面を示している。
【００２７】
可撓性基板１５と剛性基板１６の接続においては、図４（ａ）に示すように、電子部品搭載用ランド３１に電子部品４１を実装し、ベアチップ搭載部２５上に固体撮像素子１４を搭載し、図４（ｂ）に示すように、剛性基板１６上のバンプランド３３にバンプ４２を装着させ、可撓性基板１５の第２の導体パッド２７と位置合せを行う。
【００２８】
固体撮像素子１４と第１の導体パッド２４をボンディングワイヤ４３によりワイヤボンディングさせる。それと同時にバンプ４２は圧着され、第２の導体パッド２７とバンプランド３３はバンプ接合され電気的に導通する。
【００２９】
ここで、絶縁のためにボンディングワイヤ４３には配線部封止樹脂４４を施し、他方は固定用封止樹脂４５により封止する。
【００３０】
そして、可撓性基板１５の検査用パッド２２を用いて動作チェック等の検査終了後、剛性基板１６の端面に合せた切断線で可撓性基板１５の突出部２１を切断する。こうすることで可撓性基板１５と剛性基板１６とからなる基板全体の長さはＬ’となる。
【００３１】
このように本実施の形態では、動作チェックは、検査用パッド２２の位置が任意に設定でき、さらに、ワイヤボンディングとバンプ接合を同時に行えるので作業が簡便化することができる。
【００３２】
また、動作チェック後、突出部２１を切断するので、図２３に示した従来の基板長さ（Ｌ）と比べて突出部２１だけ短くできるので、固体撮像装置を小型に構成することができる。
【００３３】
なお、可撓性基板１５は、図２に示した形状に限らず、検査機器の形状に合せた、例えば図５に示す形状の第１の変形例としての可撓性基板１５ａでも、図６に示す形状の第２の変形例としての可撓性基板１５ｂでもよい。
【００３４】
［付記］
（付記項１−１）  固体撮像素子と可撓性基板と剛性基板とからなる固体撮像装置において、
前記可撓性基板の一部に前記剛性基板より突出した突出部を設け、前記突出部に前記固体撮像素子の検査用パッドを設けるとともに、前記可撓性基板及び前記剛性基板の双方に回路パターンを設け、
前記固体撮像素子と前記可撓性基板、及び前記可撓性基板と前記剛性基板とを各々電気的に接続した
ことを特徴とする固体撮像装置。
【００３５】
（付記項１−２）  前記固体撮像素子の動作検査を行った後に、前記可撓性基板の前記突出部を切断可能とした
ことを特徴とする付記項１−１に記載の固体撮像装置。
【００３６】
ところで、体腔内を観察する内視鏡の挿入部の先端構成部にＳＩＤ等の固体撮像素子を組込んだ内視鏡は、例えば特公平７−２２５７１号公報に示されるように公知である。
【００３７】
この内視鏡は、先端構成部の中心軸と略平行になる様に固体撮像素子が設けられ、この固体撮像素子を挟んで一側に対物光学系が設けられ、光軸をプリズムによって略直角に屈曲させて、前記固体撮像素子に導く構造となっている。
【００３８】
先端には、他の内蔵物も存在するために、特公平７−２２５７１号公報では、固体撮像素子のイメージエリアの一部を使うために、対物光学系の光軸とイメージエリア中心軸を偏心させていることを示している。
【００３９】
ところが、前述のように、従来は、対物系の光軸とイメージエリア中心を偏心させる構造を採るため、組立て時には、プリズムとイメージエリアの位置合せ用の位置合せ調整板を使用して作業を行う必要があり、そのため、作業時間を複雑にし、工数増加につながるといった問題がある。
【００４０】
そこで、プリズムとイメージエリアとの位置合せを容易に行うことのできる固体撮像装置の実施の形態について説明する。
【００４１】
図７ないし図１３はプリズムとイメージエリアとの位置合せを容易に行うことのできる固体撮像装置の一実施の形態に係わり、図７は内視鏡先端部の構成を示す構成図、図８は図７の固体撮像素子のイメージエリアを説明する説明図、図９は図７のＡ−Ａ線断面を示す断面図、図１０は図７のプリズムの先端部と固体撮像素子の先端部の位置合せ等を説明する第１の説明図、図１１は図７のプリズムの先端部と固体撮像素子の先端部の位置合せ等を説明する第２の説明図、図１２は図７のプリズムの先端部と固体撮像素子の先端部の位置合せ等を説明する第３の説明図、図１３は図７のプリズムの先端部と固体撮像素子の先端部の位置合せ等を説明する第４の説明図である。
【００４２】
図７に示すように、内視鏡先端部５１は、円筒状先端筒５２とこの前端に嵌着された先端構成部材５３によって構成されている。そして、この円筒状先端筒５２の内部には固体撮像装置５４が設けられている。
【００４３】
固体撮像装置５４には、対物光学系５５を構成するレンズ群５５ａを支持するためのレンズ枠５５ｂが設けられ、このレンズ枠５５ｂは前記先端構成部材５３に設けられた取り付け穴５６に挿入され、固定ねじ５７によって固定されている。さらに、前記レンズ枠５５ｂの後端部にはスペーサ５８を介してフィルタ５９が装着され、このフィルタ５９には光学素子としてのプリズム６０が接合状態で設けられ、前記対物光学系５５からの光軸を略直角に屈折するようになっている。
【００４４】
前記プリズム６０によって屈折された光軸方向には、後述するＳＩＤ等の固体撮像素子６１が設けられ、この固体撮像素子６１は内視鏡先端部５１の軸心と略平行に位置している。
【００４５】
この固体撮像素子６１について詳述すると、セラミック製の基板６２に、固体撮像素子６１、カラーフィルタアレイ６３の順に接合されている。そして、図８に示すように、前記基板６２の上下両端には等間隔に多数のリード６４が並設され、これら各リード６４は複数のボンディングワイヤ６５を介して、固体撮像素子６１のボンディングパッド６６にボンディングされている。各々のボンディングワイヤ６５は、前記カラーフィルタアレイ６３を固体撮像素子６１に装着させるための接着剤によって絶縁されている。
【００４６】
また、固体撮像素子６１上のリード６７は、リード６４に各々接続されており、図７に戻り、基板６２上の電子部品６８へは、ボンディングワイヤ６９を介して電気的に接続されている。基板６２では、電子部品６８が基板６２後方の信号線接続導体ランド７０を介してケーブル７１に電気的に接続されている。図７のＡ−Ａ線断面である図９に示すように、固体撮像素子６１のカラーフィルタアレイ６３は接着剤７２によって前記プリズム６０に固着されている。
【００４７】
なお、使用イメージエリア７４は、イメージエリア７３の一部のみを使用しているため、イメージエリア７３全体を使用したものに比べれば解像力が下回るが、固体撮像素子を使用した内視鏡の解像力はイメージガイドファイバを使用した内視鏡の解像力よりもはるかに高くできるので、イメージエリア７３の一部のみを使用しただけでも実用上充分な解像力を得ることができる。
【００４８】
この実施の形態においては、前記固体撮像素子６１のイメージエリア７３を縦横比が３：４とし、垂直４８０画素、水平６４０画素としたものである。このように構成することによって、固体撮像素子６１を民生用のＴＶカメラにも使用できるので、量産効果により固体撮像素子６１を安価に生産することができる。
【００４９】
また、民生用に使用するには、この実施の形態の医療用パッケージとは別にしてもよく、この場合は、固体撮像素子６１が民生用と共通になるだけでも量産効果は大きい。
【００５０】
さらに、前記イメージエリア７３のうち使用イメージエリア７４を直径４００画素で、図９に示すように左上にイメージエリア７３の中心より偏心させている。この結果、プリズム６０を固体撮像素子６１の中心に対して図９に示すように左側に偏心させることができ、円筒状先端筒５２内の右側スペース（鉗子挿通口７５が内蔵されている部分）を広くとることができ、その分だけ内視鏡先端部５１を細径化できる。
【００５１】
ここで、プリズム６０の先端部６０ａと固体撮像素子６１の先端部６１ａの位置合せ等は、固体撮像素子６１もしくは基板６２の接合時等に、別部品から成る位置合せ調整板（図示せず）を用いて行う。
【００５２】
すなわち、図１０に示すように、まず、プリズム６０とカラーフィルターアレイ６３の接着剤７２による接合時、プリズム６０の先端部６０ａとカラーフィルターアレイ６３の先端部６３ａの面位置合せを行う。さらに、カラーフィルターアレイ６３と固体撮像素子６１の接合時にも、固体撮像素子６１の先端部６１ａとカラーフィルターアレイ６３の先端部６３ａを面合せを行い、固体撮像素子６１と基板６２の接合時にも、固体撮像素子６１の先端部６１ａと基板６２の先端部６２ａの面合せを行う。
【００５３】
このように面合わせした構造を採用することにより、図１１に示す従来のような固体撮像装置の先端面のＢ部分が短縮でき、内視鏡先端の硬質長を短くすることができる。
【００５４】
なお、先端側だけでなく、図１２に示すように、プリズム６０とカラーフィルターアレイ６３の接着剤７２による接合時、プリズム６０の側端部６０ｂとカラーフィルターアレイ６３の側端部６３ｂの面位置合せを行い、さらに、カラーフィルターアレイ６３と固体撮像素子６１の接合時にも、固体撮像素子６１の側端部６１ｂとカラーフィルターアレイ６３の側端部６３ｂを面合せを行い、固体撮像素子６１と基板６２の接合時にも、固体撮像素子６１の側端部６１ｂと基板６２の側端部６２ｂの面合せを行ってもよい。すなわち、面合わせは一方向のみでなく、多方向に採用してもかまわない。
【００５５】
図１２に示したように側端側も面合わせし図１３のように組込むことで、図９に対して鉗子挿通口７５の部分のスペースが広くなり、鉗子挿通口７５を中心方向に寄せられることができ、先端外径の細径化ができる。
【００５６】
以上のように本実施の形態では、固体撮像素子６１の使用イメージエリア７４をイメージエリア７３の一部としているので、プリズム６０と固体撮像素子６１もしくは基板６３との位置合せが容易となり作業時間が短縮される。
【００５７】
また、プリズム６０と固体撮像素子６１もしくは基板６３のそれぞれの端部を面合わせしているので、細径化できる。
【００５８】
［付記］
（付記項２−１）  内視鏡先端に設けられ、プリズムを含む対物光学系と固体撮像素子とを有する固体撮像装置において、
前記プリズムの端面と前記固体撮像素子の端面の少くとも一辺を合せた
ことを特徴とする固体撮像装置。
【００５９】
（付記項２−２）  前記固体撮像素子を搭載する基板端面と前記プリズムの端面の少くとも一面を合せた
ことを特徴とする付記項２−１に記載の固体撮像装置。
【００６０】
一方、電子内視鏡先端に内蔵される撮像装置は小型化が重要視されている。さらに、高密度実装化が進められている。
【００６１】
一般的には、撮像素子の電気信号を送信させるために、素子に接続させるフレキシブル基板を用い、配線パターンを設けさせ、限られたスペース内に電子部品を実装したりケーブルを配線したりするために、折り曲げたりしている。
【００６２】
しかし、高密度化を狙うため、フレキシブル基板が大型化。特に、撮像装置の長さが長くなる。また、基板上の回路配線を折り曲げるため、断線のおそれがある。
【００６３】
そこで、撮像装置の長さを短縮細径化させ、基板上の配線を断線させることのない固体撮像装置の実施の形態について説明する。
【００６４】
図１４ないし図１６は撮像装置の長さを短縮細径化させ、基板上の配線の断線を防止することのできる固体撮像装置の一実施の形態に係わり、図１４は固体撮像装置の構成を示す構成図、図１５は図１４の固体撮像素子のイメージエリアを説明する説明図、図１６は図１４のＴＡＢテープの構成を示す構成図である。
【００６５】
図１４（ａ）に示すように、内視鏡先端部内に設けられる固体撮像装置１０１には、対物光学系を構成する図示しないレンズ群を支持するためのレンズ枠１０２が設けられている。さらに、前記レンズ枠１０２の後端部にはフィルタ１０３が装着され、このフィルタ１０３には光学素子としてのプリズム１０４が接合状態で設けられ、対物光学系からの光軸を略直角に屈折するようになっている。そして、前記プリズム１０３によって屈折された光軸方向には、固体撮像素子１０５が設けられている。
【００６６】
固体撮像素子１０５には、図１５に示すように、左側を内視鏡先端かつ撮像装置先端とするとき、先端側にイメージエリア１０５ａが設けられ、後端側にバンプランド１０６を配設されている。
【００６７】
図１４（ａ）に戻り、固体撮像素子１０５上のバンプランド１０６には、バンプ１０７を介して、フレキシブルな回路基板から成るＴＡＢテープ１０８の接続用端子１０９が接合させられており、フィルタ１０３とプリズム１０４を接合させたレンズ系を固体撮像素子１０５に接合させた構造になっている。
【００６８】
ＴＡＢテープ１０８上には、図１６に示すように、電子部品１１０を配設させるための配線パターン１１１が施され、その裏面には、配線パターン１１１と電気的に接続されている信号線接続用導体ランド１１２が配設されている。
【００６９】
また、バンプランド１０６と電気的に接続させるための接続用端子１１３が設けられ、配線パターン１１１を介して電子部品１１０に接続されている。
【００７０】
固体撮像装置へ組み込むためにＴＡＢテープ１０８には、折り曲げ線１１４が設けてあり、それにより、ＴＡＢテープ１０８は、折り曲げ部１１５、１１６及び平面部１１７から構成される。
【００７１】
再び、図１４（ａ）に戻り、バンプ接合されたＴＡＢテープ１０８を、接続用端子１１３の部分でプリズム１０４側へ折り曲げ、ＴＡＢテープ１０８上の基板底部折り曲げ線１１８（図１６参照）にて電子部品１１０の搭載面がプリズム１０４の斜面と略平行になるように、平面部１１７が配置される。
【００７２】
このとき、ＴＡＢテープ１０８上の電子部品１１０は、プリズム１０４とＴＡＢテープ１０８の間に設定される。
【００７３】
図１４（ａ）のＣ−Ｃ線断面である図１４（ｂ）に示すように、ＴＡＢテープ１０８上の折り曲げ線１１４に沿ってＴＡＢテープ１０８を折り曲げ、プリズム１０４の側面に折り曲げ部１１５、１１６を配置させる。
【００７４】
位置決め終了後、各構成部材を固定するために、接着剤１１９をプリズム１０４の斜面とＴＡＢテープ１０８の平面部１１７間の空間及びプリズム１０４の側面と折り曲げ部１１５、１１６との空間に、それぞれ塗布して固定させる。
【００７５】
なお、接着剤１１９には、紫外線で硬化する紫外線硬化型の樹脂を用いる。
【００７６】
接着剤１１９の硬化後、ＴＡＢテープ１０８の裏面側の信号線接続用導体ランド１１２に信号線１２０を接続する。
【００７７】
このように本実施の形態の構造では、固体撮像素子１０５上にＴＡＢテープ１０８を直接バンプ１０７を介して接続するため，従来、固体撮像素子を支持・固定するために必要な基板が不要となることから小型化され細径化ができる。
【００７８】
また、バンプ１０７と接続用端子１１３との接続後の接続用端子１１３の折り曲げは、一般的に行われている配線パターンを設けたフレキシブル基板を撮像装置をなるべく小型化させるための折り返し作業等によるパターンへのダメージに対しては、軽減されパターン断線が防止される。
【００７９】
［付記］
（付記項３−１）  内視鏡の先端に設けられ、プリズムを含む対物光学系と固体撮像素子を内蔵する固体撮像装置において、
前記固体撮像素子上の受光部後方にボンディングパッド列を配設させ、駆動用電子部品を実装したフレキシブル基板上の配線を前記パッド列に電気接続し、
前記フレキシブル基板を前記固体撮像素子上の受光部側へ折り曲げるとともに、前記プリズム側面へ前記フレキシブル基板の余剰部分を折り曲げ接着させ、
信号線を前記フレキシブル基板後方の上方に接続させた
ことを特徴とする固体撮像装置。
【００８０】
（付記項３−２）  前記フレキシブル基板上の前記電子部品は、前記プリズムと前記フレキシブル基板との間に配設される
ことを特徴とする付記項３−１に記載の固体撮像装置。
【００８１】
さて、上述した各実施の形態の固体撮像装置は、例えば内視鏡の先端部内に配置される。
【００８２】
すなわち、図１７に示すように、内視鏡１５１の先端部には固体撮像装置１５２があり、内視鏡１５１の挿入部１５３及びユニバーサルケーブル１５４内を挿通する信号線１５５によって後方のシステムに接続されている。
【００８３】
信号線１５５には、放射される電磁波を妨害させるために、第１のシールド１５６を被せる。
【００８４】
ユニバーサルケーブル１５４内には、例えば電気メス使用による患者の感電を防止させるために内視鏡内の電位を等しくさせるようにグランド線１５７が配設されており、ユニバーサルケーブル１５４の基端に設けられるコネクタ部１５４ａには、グランド線１５７が接続された端子１５８が設けられている。
【００８５】
図１７の第１の電気結線図である図１８に示すように、通常使用時においては、固体撮像装置１５２内の固体撮像素子１６０の信号は、信号線１５５の中の芯線１６１を経由してビデオプロセッサ１６２内の回路基板１６３に接続されている。
【００８６】
信号線１５５の中には、多数の芯線１６１が存在しており、種々の駆動周波数を持つ信号が各芯線１６１に流れており、信号線から放射されるノイズによる干渉が考えられるため、第２のシールド１６４を各芯線１６１に被せ同軸ケーブルとしている。つまり、芯線１６１と第２のシールド１６４により同軸線１６５を構成し、多数合せて信号線１５５を形成している。ここで、各同軸線１６５で第２のシールド１６４によりシールドされているものの、漏れるノイズもあるため、さらに第３のシールド１６６により被われている。
【００８７】
なお、第２のシールド１６４と第３のシールド１６６には、ノイズが乗っているため、システムの信号系に影響を及ぼさないようにグランド１６７に接続し、ノイズを逃がしている。
【００８８】
また、第２のシールド１６４、第３のシールド１６６でも抑えきれないノイズもあるため、上述したように、信号線１５５外周に第１のシールド１５６を被せており、切り換え部１６８を介してグランド１６７に接続させ、ノイズの放射を抑えている。
【００８９】
なお、図１７の第２の電気結線図である図１９に示すように、電気メス使用時には、切り換え部１６８をＯＰＥＮにする。
【００９０】
次に、ここで、切り換え部１６８の開閉構造について説明する。
【００９１】
図２０に示すように、切り換え部１６８の開閉動作を端子１５８で行わせる。詳細には、端子１５８は、中心線周囲に開口部１７１を設け、端子頭部１７２にはねじが切られており、コネクタ部１５４ａに埋設させている。
【００９２】
開口部１７１には、絶縁部材１７３を嵌挿させられ、開口部１７１に挿入させる接触棒１７４の接触棒頭部１７５に端子頭部１７２と同方向にねじが切られている。例えば、端子頭部１７２には右ねじ、接触棒頭部１７５には右ねじが切られている。
【００９３】
接触面１９０と端子１５８の間には弾性部材１７６が介在している。
【００９４】
また、接触棒１７４の抜け止めのために固定用カバー１７７を設け、これには、接触部１７８を組み込み、接触部１７８にはグランド線１５７を接続させる。
【００９５】
開口部１７１へ挿通させた接触棒１７４を押し上げるように固定用カバー１７７を端子１５８に固定させるようになっている。
【００９６】
端子頭部１７２に接続させる、電気メス側のコネクト部分では、図２１に示すように、口金１８０の口金内開口部１８１には端子頭部１７２と同方向のねじを切る。口金内開口部１８１内に口金内突起部１８２を設け突起内開口部１８３に接触棒頭部１７５と同方向のねじを切る。さらに、口金１８０は電気メス接続コード１８４と電気的に接続させて構成される。
【００９７】
そして、図２２に示すように、電気メス使用時に、口金１８０を端子頭部１７２に取り付ける。取り付けは、口金内開口部１８１のねじ部と同方向の端子頭部１７２のねじ部を螺合させる。螺合させていくと、突起内開口部１８３のねじ部が接触棒頭部１７５と螺合される。
【００９８】
口金内開口部１８１のねじ部と同方向なので、ねじ込まれていくと突起内開口部１８３のねじ部により接触棒頭部１７５のねじ部がかみ合っていき、口金１８０は下方へ、接触棒１７４は上方へと動く。
【００９９】
この動きにより、図２２に示すごとく、接触面１９０と接触面１９１にはクリアランス１９２が発生し、電気的に非導通となる。
【０１００】
このように図１８の状態では、信号線１５５からの放射ノイズがグランド１６７に逃がされるため不要輻射ノイズは低減される。
【０１０１】
さらに、図１９に示した電気メス使用時には、スコープＧＮＤに対して外表面は浮くことになるので感電を防止させる回路となり安全である。
【０１０２】
【発明の効果】
以上説明したように本発明の固体撮像装置によれば、固体撮像素子と可撓性基板、及び可撓性基板と剛性基板とを各々電気的に接続するので、実装後の検査を簡略化し、小型化をはかることができるという効果がある。
【図面の簡単な説明】
【図１】本発明の一実施の形態に係る内視鏡先端部の構成を示す構成図
【図２】図１の撮像部に装着する前の固体撮像素子を実装した可撓性基板の構成を示す構成図
【図３】図２の可撓性基板を搭載する前の剛性基板の構成を示す構成図
【図４】図２の可撓性基板を搭載した後の剛性基板の構成を示す構成図
【図５】図２の可撓性基板の第１の変形例の形状を示す図
【図６】図２の可撓性基板の第２の変形例の形状を示す図
【図７】プリズムとイメージエリアとの位置合せを容易に行うことのできる固体撮像装置の一実施の形態に係る内視鏡先端部の構成を示す構成図
【図８】図７の固体撮像素子のイメージエリアを説明する説明図
【図９】図７のＡ−Ａ線断面を示す断面図
【図１０】図７のプリズムの先端部と固体撮像素子の先端部の位置合せ等を説明する第１の説明図
【図１１】図７のプリズムの先端部と固体撮像素子の先端部の位置合せ等を説明する第２の説明図
【図１２】図７のプリズムの先端部と固体撮像素子の先端部の位置合せ等を説明する第３の説明図
【図１３】図７のプリズムの先端部と固体撮像素子の先端部の位置合せ等を説明する第４の説明図
【図１４】撮像装置の長さを短縮細径化させ基板上の配線の断線を防止することのできる固体撮像装置の一実施の形態に係る固体撮像装置の構成を示す構成図
【図１５】図１４の固体撮像素子のイメージエリアを説明する説明図
【図１６】図１４のＴＡＢテープの構成を示す構成図
【図１７】各実施の形態の固体撮像装置を備えた内視鏡装置の構成を示す構成図
【図１８】図１７の内視鏡装置の通常使用時の電気結線を示す第１の電気結線図
【図１９】図１７の内視鏡装置の電気メス使用時の電気結線を示す第２の電気結線図
【図２０】図１７の端子の構成を示す構成図
【図２１】図１９の端子が接続される電気メス側のコネクト部分の構成を示す構成図
【図２２】図１９の端子と図２０のコネクト部分の接続を説明する説明図
【図２３】従来の固体撮像素子を実装した基板の構成を示す構成図
【符号の説明】
１…内視鏡
２…ライトガイド
３…対物光学系
４…撮像部
５…固体撮像装置
６…レンズ群
７…レンズ枠
８…先端構成部材
９…取り付け穴
１０…固定ねじ
１１…スペーサ
１２…フィルタ
１３…プリズム
１４…固体撮像素子
１５…可撓性基板
１６…剛性基板
１７…信号線接続用導体ランド
１８…信号線
２１…突出部
２２…検査用パッド
２３…配線パターン
２４…第１の導体パッド
２５…ベアチップ搭載部
２６…スルーホール
２７…第２の導体パッド
３１…電子部品搭載用ランド
３２…信号線接続用導体ランド
３３…バンプランド
３４…内部配線
４１…電子部品
４２…バンプ
４３…ボンディングワイヤ
４４…配線部封止樹脂
４５…固定用封止樹脂
【図１】
0003623311.tif 000002
【図２】
0003623311.tif 000003
【図３】
0003623311.tif 000004
【図４】
0003623311.tif 000005
【図５】
0003623311.tif 000006
【図６】
0003623311.tif 000007
【図７】
0003623311.tif 000008
【図８】
0003623311.tif 000009
【図９】
0003623311.tif 000010
【図１０】
0003623311.tif 000011
【図１１】
0003623311.tif 000012
【図１２】
0003623311.tif 000013
【図１３】
0003623311.tif 000014
【図１４】
0003623311.tif 000015
【図１５】
0003623311.tif 000016
【図１６】
0003623311.tif 000017
【図１７】
0003623311.tif 000018
【図１８】
0003623311.tif 000019
【図１９】
0003623311.tif 000020
【図２０】
0003623311.tif 000021
【図２１】
0003623311.tif 000022
【図２２】
0003623311.tif 000023
【図２３】
0003623311.tif 000024